【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】データ処理装置及びデータ処理方法
【手続補正２】
【補正対象書類名】明細書
【補正対象項目名】特許請求の範囲
【補正方法】変更
【補正の内容】
【特許請求の範囲】
【請求項１】  ネットワークを介してリモ−トプリンタにデータを送信して印刷させるためのデータ処理装置であって、
印刷要求元から印刷データを受信し、該印刷要求元に対して印刷を完了させる応答処理を行なう印刷応答処理手段と、
上記印刷応答処理手段によって受信した印刷データを記憶手段に保持するスプーリング処理手段と、
上記記憶手段に保持された印刷データを上記ネットワークを介して上記リモ−トプリンタに転送する転送プロトコルを選択する選択手段と、
上記印刷データを上記選択手段によって選択された転送プロトコルにより転送するリモート転送処理手段とを有することを特徴とするデータ処理装置。
【請求項２】  上記リモート転送処理手段による転送にエラーが生じた場合に、リカバリー処理を行なうリカバリー処理手段を有することを特徴とする請求項１に記載のデータ処理装置。
【請求項３】  上記選択手段は、ファイル転送プロトコルまたはメール配信プロトコルの何れか一方を選択することを特徴とする請求項１または２に記載のデータ処理装置。
【請求項４】  上記印刷データを上記メール配信プロトコルで転送可能な形式に変換する転送データ変換処理手段を備え、上記選択手段により上記メール配信プロトコルが選択された場合に、上記リモート転送処理手段は、上記印刷データを上記転送データ変換処理手段により変換して転送することを特徴とする請求項３に記載のデータ処理装置。
【請求項５】  上記リモートプリンタと請求項１〜４の何れか１項に記載のデータ処理装置とを有することを特徴とするリモートプリントシステム。
【請求項６】  ネットワークを介してリモ−トプリンタにデータを送信して印刷させるためのデータ処理方法であって、
印刷要求元から印刷データを受信し、該印刷要求元に対して印刷を完了させる応答処理を行なう印刷応答処理工程と、
上記印刷応答処理工程において受信した印刷データを記憶手段に保持するスプーリング処理工程と、
上記記憶手段に保持された印刷データを上記ネットワークを介して上記リモ−トプリンタに転送する転送プロトコルを選択する選択工程と、
上記印刷データを上記選択工程によって選択された転送プロトコルにより転送するリモート転送処理工程とを有することを特徴とするデータ処理方法。
【請求項７】  上記リモート転送処理工程よる転送にエラーが生じた場合に、リカバリー処理を行なうリカバリー処理工程を有することを特徴とする請求項６に記載のデータ処理方法。
【請求項８】  上記選択工程では、ファイル転送プロトコルまたはメール配信プロトコルの何れか一方を選択することを特徴とする請求項６または７に記載のデータ処理方法。
【請求項９】  上記印刷データを上記メール配信プロトコルで転送可能な形式に変換する転送データ変換処理工程を備え、上記選択工程において上記メール配信プロトコルが選択された場合に、上記リモート転送処理工程では、上記転送データ変換処理工程により変換した印刷データを転送することを特徴とする請求項８に記載のデータ処理方法。
【請求項１０】  ネットワークを介してリモ−トプリンタにデータを送信して印刷させるためのデータ処理方法をコンピュータに実行させるプログラムであって、
印刷要求元から印刷データを受信し、該印刷要求元に対して印刷を完了させる応答処理を行なう印刷応答処理工程と、
上記印刷応答処理工程において受信した印刷データを記憶手段に保持するスプーリング処理工程と、
上記記憶手段に保持された印刷データを上記ネットワークを介して上記リモ−トプリンタに転送する転送プロトコルを選択する選択工程と、
上記印刷データを上記選択工程によって選択された転送プロトコルにより転送するリモート転送処理工程とをコンピュータに実行させることを特徴とするコンピュータプログラム。
【請求項１１】  請求項１０に記載のコンピュータプログラムを記録したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明はデータ処理装置及びデータ処理方法に関し、特に、カラープロファイルに基づくカラーマッチングを行う画像処理システムに用いて好適なものである。
【手続補正４】
【補正対象書類名】明細書
【補正対象項目名】００１０
【補正方法】変更
【補正の内容】
【００１０】
【課題を解決するための手段】
本発明のデータ処理装置は、ネットワークを介してリモ−トプリンタにデータを送信して印刷させるためのデータ処理装置であって、印刷要求元から印刷データを受信し、該印刷要求元に対して印刷を完了させる応答処理を行なう印刷応答処理手段と、上記印刷応答処理手段によって受信した印刷データを記憶手段に保持するスプーリング処理手段と、上記記憶手段に保持された印刷データを上記ネットワークを介して上記リモ−トプリンタに転送する転送プロトコルを選択する選択手段と、上記印刷データを上記選択手段によって選択された転送プロトコルにより転送するリモート転送処理手段とを有することを特徴とする。
本発明のデータ処理方法は、ネットワークを介してリモ−トプリンタにデータを送信して印刷させるためのデータ処理方法であって、印刷要求元から印刷データを受信し、該印刷要求元に対して印刷を完了させる応答処理を行なう印刷応答処理工程と、上記印刷応答処理工程において受信した印刷データを記憶手段に保持するスプーリング処理工程と、上記記憶手段に保持された印刷データを上記ネットワークを介して上記リモ−トプリンタに転送する転送プロトコルを選択する選択工程と、上記印刷データを上記選択工程によって選択された転送プロトコルにより転送するリモート転送処理工程とを有することを特徴とする。
本発明のコンピュータプログラムは、ネットワークを介してリモ−トプリンタにデータを送信して印刷させるためのデータ処理方法をコンピュータに実行させるプログラムであって、印刷要求元から印刷データを受信し、該印刷要求元に対して印刷を完了させる応答処理を行なう印刷応答処理工程と、上記印刷応答処理工程において受信した印刷データを記憶手段に保持するスプーリング処理工程と、上記記憶手段に保持された印刷データを上記ネットワークを介して上記リモ−トプリンタに転送する転送プロトコルを選択する選択工程と、上記印刷データを上記選択工程によって選択された転送プロトコルにより転送するリモート転送処理工程とをコンピュータに実行させることを特徴とする。
【手続補正５】
【補正対象書類名】明細書
【補正対象項目名】０１０１
【補正方法】変更
【補正の内容】
【０１０１】
【発明の効果】
以上説明してきたように、本発明によれば、印刷要求元から印刷データを受信し、該印刷要求元に対して印刷を完了させる応答処理を行なう印刷応答処理手段と、上記印刷応答処理手段によって受信した印刷データを記憶手段に保持するスプーリング処理手段と、上記記憶手段に保持された印刷データを上記ネットワークを介して上記リモ−トプリンタに転送する転送プロトコルを選択する選択手段と、上記印刷データを上記選択手段によって選択された転送プロトコルにより転送するリモート転送処理手段とをもうけたので、リモート印刷を行なうための印刷処理をローカルネットワーク内で一旦完了させるようにすることがで、リモート印刷を行なう際の通信に遅延が生じたり、コネクションが切断されたりする不都合を解消することが可能となり、データを安易にかつ安定的にリモート印刷できる。